【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
商用ウェブサイトを提供する第一のサーバと第一の通信端末とに接続されるサーバであって、
前記第一の通信端末から受信した第一のユーザ識別子と、前記第一のサーバに接続する第二の通信端末から受信した第二のユーザ識別子とを関連付けて記憶するユーザ管理データベースと、
コンテンツデータを前記第一の通信端末に送信することにより、前記コンテンツデータを前記第一の通信端末に設けられた表示部に表示させる制御部と、
前記第一のサーバから、前記第二の通信端末が前記第一のサーバにより提供される前記商用ウェブサイトにおいて所定の処理を実行した場合に送信され、前記第二のユーザ識別子を含む通知を受信する受信部とを備えており、
前記制御部は、
前記受信部が前記通知を受信した場合に、前記通知に含まれる前記第二のユーザ識別子に関連付けられている前記第一のユーザ識別子を特定し、特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを示す諾否情報に基づき、前記コメントデータを前記第一の通信端末に対して送信することが許可されている場合に、前記第一の通信端末に対して前記コメントデータを前記コンテンツデータとして送信し、
さらに成果報酬を制御する成果報酬制御部を備え、
前記ユーザ管理データベースは、前記第二のユーザ識別子と、前記第二のユーザ識別子に対して付与された前記成果報酬とを関連付けて記憶しており、
前記成果報酬制御部は、前記通知が受信された場合に、前記第二のユーザ識別子に対して付与された前記成果報酬に対して第一の成果報酬を加算することを特徴とするサーバ。
【請求項２】
前記成果報酬制御部はさらに、
所定条件が満たされた場合に、前記第二のユーザ識別子に対して付与された前記成果報酬に対して第二の成果報酬をさらに加算することを特徴とする、請求項１に記載のサーバ。
【請求項３】
前記所定条件は、前記商用ウェブサイトにおいて前記所定の処理を実行した通信端末の合計数が所定数に到達したことであることを特徴とする請求項２に記載のサーバ。
【請求項４】
前記所定条件は、前記第一の通信端末に対して送信された前記コメントデータに含まれる前記リンク情報に基づいて前記第一の通信端末が前記商用ウェブサイトに接続し、かつ、前記第一の通信端末が前記商用ウェブサイトにおいて所定の処理を実行したことであることを特徴とする請求項２に記載のサーバ。
【請求項５】
前記コメントデータは、マイページのコメント表示領域に表示されることを特徴とする、請求項１乃至４のいずれか一項に記載のサーバ。
【請求項６】
前記コメントデータは、前記マイページのユーザとは異なる所定のユーザのマイページのコメント表示領域に表示されることを特徴とする、請求項５に記載のサーバ。
【請求項７】
前記コメント表示領域に複数のコメントが表示される場合、新しいコメントから順番に上から下に並べて表示されることを特徴とする、請求項５又は６に記載のサーバ。
【請求項８】
前記コメント表示領域に複数のコメントが表示される場合、最新のコメントから過去数件のコメントが表示されることを特徴とする、請求項５乃至７のいずれか一項に記載のサーバ。
【請求項９】
前記マイページは、コメント履歴を表示するためのコメント履歴アイコンを含むことを特徴とする、請求項５乃至８のいずれか一項に記載のサーバ。
【請求項１０】
前記マイページは、コメント入力フォームを含み、前記コメント入力フォームは前記コメント表示領域よりも上部に表示されることを特徴とする、請求項５乃至９のいずれか一項に記載のサーバ。
【請求項１１】
商用ウェブサイトを提供する第一のサーバと、
第二のサーバと、
前記第二のサーバに接続する第一の通信端末と、
前記第一のサーバに接続する第二の通信端末とを備えた広告提供システムであって、
前記第二のサーバは、
前記第一の通信端末から受信した第一のユーザ識別子と、前記第二の通信端末から受信した第二のユーザ識別子とを関連付けて記憶するユーザ管理データベースと、
コンテンツデータを前記第一の通信端末に送信することにより、前記コンテンツデータを前記第一の通信端末に設けられた表示部に表示させる制御部と、
を備えており、
前記第一のサーバは、前記第二の通信端末が前記第一のサーバにより提供される前記商用ウェブサイトにおいて所定の処理を実行した場合に、前記第二のサーバに対して前記第二のユーザ識別子を含む通知を送信し、
前記制御部が、前記通知を受信した場合に、前記通知に含まれる前記第二のユーザ識別子に関連付けられている前記第一のユーザ識別子を特定し、特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを示す諾否情報に基づき、前記コメントデータを前記第一の通信端末に対して送信することが許可されている場合に、前記第一の通信端末に対して前記コメントデータを前記コンテンツデータとして送信し、
前記第二のサーバはさらに成果報酬を制御する成果報酬制御部を備え、
前記ユーザ管理データベースは、前記第二のユーザ識別子と、前記第二のユーザ識別子に対して付与された前記成果報酬とを関連付けて記憶しており、
前記成果報酬制御部は、前記通知が受信された場合に、前記第二のユーザ識別子に対して付与された前記成果報酬に対して第一の成果報酬を加算することを特徴とする広告提供システム。
【請求項１２】
商用ウェブサイトを提供する第一のサーバと、第二のサーバと、前記第二のサーバに接続する第一の通信端末と、前記第一のサーバに接続する第二の通信端末とを備えた広告提供システムにおける広告提供方法であって、
前記第二のサーバが、前記第一の通信端末から受信した第一のユーザ識別子と、前記第二の通信端末から受信した第二のユーザ識別子とを関連付けて記憶するステップと、
前記第一のサーバが、前記第二の通信端末が前記第一のサーバにより提供される前記商用ウェブサイトにおいて所定の処理を実行した場合に、前記第二のサーバに対して前記第二のユーザ識別子を含む通知を送信するステップと、
前記第二のサーバが、前記通知を受信した場合に、前記通知に含まれる前記第二のユーザ識別子に関連付けられている前記第一のユーザ識別子を特定するステップと、
前記第二のサーバが、特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを示す諾否情報に基づき、前記コメントデータを前記第一の通信端末に対して送信することが許可されている場合に、前記第一の通信端末に対して前記コメントデータを、コンテンツデータとして送信し、前記コメントデータを前記第一の通信端末に設けられた表示部に表示させるステップと、
前記第二のサーバが、成果報酬を制御するステップと、を含み、
前記記憶するステップはさらに、前記第二のユーザ識別子と、前記第二のユーザ識別子に対して付与された前記成果報酬とを関連付けて記憶し、
前記第二のサーバが前記通知を受信した場合に、前記第二のユーザ識別子に対して付与された前記成果報酬に対して第一の成果報酬を加算することを特徴とする広告提供方法。
【請求項１３】
商用ウェブサイトを提供する第一のサーバと第一の通信端末とに接続されるサーバによる広告提供方法であって、
前記第一の通信端末から受信した第一のユーザ識別子と、前記第一のサーバに接続する第二の通信端末から受信した第二のユーザ識別子とを関連付けて記憶するステップと、
前記第一のサーバから、前記第二の通信端末が前記第一のサーバにより提供される前記商用ウェブサイトにおいて所定の処理を実行した場合に送信され、前記第二のユーザ識別子を含む通知を受信するステップと、
前記通知を受信した場合に、前記通知に含まれる前記第二のユーザ識別子に関連付けられている前記第一のユーザ識別子を特定するステップと、
特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを示す諾否情報に基づき、前記コメントデータを前記第一の通信端末に対して送信することが許可されている場合に、前記第一の通信端末に対して前記コメントデータを、コンテンツデータとして送信し、前記コメントデータを前記第一の通信端末に設けられた表示部に表示させるステップと、
成果報酬を制御するステップと、を含み、
前記記憶するステップはさらに、前記第二のユーザ識別子と、前記第二のユーザ識別子に対して付与された前記成果報酬とを関連付けて記憶し、
前記通知を受信した場合に、前記第二のユーザ識別子に対して付与された前記成果報酬に対して第一の成果報酬を加算することを特徴とするサーバによる広告提供方法。
【手続補正２】
【補正対象書類名】明細書
【補正対象項目名】０００７
【補正方法】変更
【補正の内容】
【０００７】
上記課題を解決するために本発明に係る広告提供システムは、商用ウェブサイトを提供する第一のサーバと、第二のサーバと、前記第二のサーバに接続する第一の通信端末と、前記第一のサーバに接続する第二の通信端末とを備えた広告提供システムであって、前記第二のサーバは、前記第一の通信端末から受信した第一のユーザ識別子と、前記第二の通信端末から受信した第二のユーザ識別子とを関連付けて記憶するユーザ管理データベースと、コンテンツデータを前記第一の通信端末に送信することにより、前記コンテンツデータを前記第一の通信端末に設けられた表示部に表示させる制御部と、を備えており、前記第一のサーバは、前記第二の通信端末が前記第一のサーバにより提供される前記商用ウェブサイトにおいて所定の処理を実行した場合に、前記第二のサーバに対して前記第二のユーザ識別子を含む通知を送信し、前記制御部が、前記通知を受信した場合に、前記通知に含まれる前記第二のユーザ識別子に関連付けられている前記第一のユーザ識別子を特定し、特定された前記第一のユーザ識別子に基づき前記第一の通信端末に対して、前記第二のユーザ識別子に係るユーザ情報と前記商用ウェブサイトのリンク情報とを含むコメントデータを送信することを許可するか否かを示す諾否情報に基づき、前記コメントデータを前記第一の通信端末に対して送信することが許可されている場合に、前記第一の通信端末に対して前記コメントデータを前記コンテンツデータとして送信し、前記第二のサーバはさらに成果報酬を制御する成果報酬制御部を備え、前記ユーザ管理データベースは、前記第二のユーザ識別子と、前記第二のユーザ識別子に対して付与された前記成果報酬とを関連付けて記憶しており、前記成果報酬制御部は、前記通知が受信された場合に、前記第二のユーザ識別子に対して付与された前記成果報酬に対して第一の成果報酬を加算することを特徴とする。